(57)【要約】    【課題】燃料噴射弁がピストンの冠面に対向させて配置され、燃料をこの冠面のキャビティに向けて噴射する筒内噴射内燃機関において、冠面から巻き上がった噴霧の集中による点火プラグの燻りを防止する。    【解決手段】筒内でキャビティ１２１の周縁に向けて下向きにガス流動Ｓｓを生じさせ、キャビティ１２１を介して筒内を上昇する噴霧Ｓｐをこのガス流動Ｓｓにより偏向させ、この噴霧Ｓｐの主流が進む流線上から点火プラグ２２を逸脱させる。【選択図】  図６
2007077821.tif 000002
【特許請求の範囲】
【請求項１】
冠面にキャビティが形成されたピストンと、
このピストンの冠面に対向させて配置され、筒内に燃料を直接噴射する燃料噴射弁と、
この燃料噴射弁により噴射された噴霧に点火する点火プラグと、
筒内で気筒中心軸に沿う上下方向に関して下向きに、前記キャビティの周縁に向かうガス流動を生じさせるガス流動制御手段と、を含んで構成され、
前記キャビティを介して筒内を上昇する噴霧を前記ガス流動により偏向させ、この噴霧の主流が進む流線上から前記点火プラグを逸脱させる筒内噴射内燃機関。
【請求項２】
前記燃料噴射弁による燃料の噴射時期として、比較的に早い圧縮行程中の第１の噴射時期と、この第１の噴射時期よりも遅い第２の噴射時期とが設定され、
前記ガス流動が、前記第２の噴射時期に噴射された噴霧により形成される請求項１に記載の筒内噴射内燃機関。
【請求項３】
前記燃料噴射弁が、燃料と空気とを混合させて噴射可能な二流体噴射弁であり、
前記ガス流動が、この二流体噴射弁により噴射された空気により形成される請求項１に記載の筒内噴射内燃機関。
【請求項４】
機関の負荷が高いときほど、前記二流体噴射弁による空気の噴射量を増大させる請求項３に記載の筒内噴射内燃機関。
【請求項５】
前記点火プラグは、前記ピストンの冠面に対する衝突前の噴霧に点火する請求項１〜４のいずれかに記載の筒内噴射内燃機関。
【請求項６】
機関の排気通路に設置された排気浄化触媒の状態に応じた排気の昇温要求下において、前記燃料噴射弁による燃料の噴射時期が膨張行程中に設定される請求項５に記載の筒内噴射内燃機関。
【請求項７】
前記点火プラグの燻りに関する状態パラメータを検出する状態検出手段を更に含んで構成され、
前記ガス流動制御手段は、検出された状態パラメータによる燻りの発生有無の判定結果に応じ、前記ガス流動を生じさせる請求項１〜６のいずれかに記載の筒内噴射内燃機関。
【請求項８】
前記燃料噴射弁により圧縮行程中に噴射された噴霧に対して点火が行われる場合に、
前記状態検出手段は、前記状態パラメータとしてこの燃焼形態による連続運転時間を測定する請求項７に記載の筒内噴射内燃機関。
【請求項９】
前記状態検出手段は、前記状態パラメータとして前記点火プラグの放電電圧又はこれに相関する電気特性値を検出する請求項７に記載の筒内噴射内燃機関。
【請求項１０】
前記燃料噴射弁が、弁体中心軸を基準とした周方向に複数の噴孔が配列された多噴孔タイプの燃料噴射弁である請求項１〜９のいずれかに記載の筒内噴射内燃機関。
【請求項１１】
前記燃料噴射弁が、弁体の駆動手段としてピエゾタイプのアクチュエータを含んで構成される請求項１〜１０のいずれかに記載の筒内噴射内燃機関。
【請求項１２】
冠面にキャビティが形成されたピストンと、
このピストンの冠面に対向させて配置され、筒内に燃料を直接噴射する燃料噴射弁と、
この燃料噴射弁により噴射された噴霧に点火する点火プラグと、
筒内で気筒中心軸に沿う上下方向に関して下向きに、前記キャビティの周縁に向かうガス流動を生じさせるガス流動制御手段と、を含んで構成され、
前記ガス流動の流線が、前記キャビティを介して筒内を上昇する噴霧の主流が進む流線に対して前記キャビティの上方で交差する筒内噴射内燃機関。
【請求項１３】
冠面にキャビティが形成されたピストンと、
このピストンの冠面に対向させて配置され、筒内に燃料を直接噴射する燃料噴射弁と、
この燃料噴射弁により噴射された噴霧に点火する点火プラグと、
この点火プラグの燻りに関する状態パラメータを検出する状態検出手段と、
検出された状態パラメータに基づいて燻りの発生有無の判定を行う判定手段と、
この手段による判定結果に応じ、前記燃料噴射弁による噴射の実行回数を異ならせる噴射制御手段と、を含んで構成される筒内噴射内燃機関。
【発明の詳細な説明】
【技術分野】
【０００１】
本発明は、筒内噴射内燃機関に関し、詳細には、燃料噴射弁がピストンの冠面に対向させて配置され、この燃料噴射弁により、燃料を冠面に形成されたキャビティに向けて噴射するものにおいて、キャビティを介して冠面から巻き上がった噴霧が点火プラグに向かうことにより生じる点火プラグの燻りを防止するための技術に関する。
【背景技術】
【０００２】
筒内噴射内燃機関は、シリンダヘッドに燃料噴射弁が設置され、この燃料噴射弁により筒内に燃料を直接噴射することで、層状の混合気を形成するものである。この筒内噴射内燃機関によれば、燃焼の大幅な希薄化が可能であるとともに、吸気に伴うポンプロスの低減の効果も相俟って、特に低負荷域における燃料消費量を低減し得ることが知られている。
【０００３】
筒内噴射内燃機関として、燃料噴射弁が気筒中心軸に対して傾斜させて、シリンダヘッドの側方から気筒中心に向けて配設された、いわゆる側方噴射タイプのもののほか、燃料噴射弁が気筒中心軸に対して平行に、シリンダヘッドの上方からピストンの冠面に対向させて配置された中央噴射タイプのものが知られている。
後者の中央噴射タイプの筒内噴射内燃機関に関し、燃料の微細化が充分に進んでいない噴霧の衝突による点火プラグの燻りを防止する次のような技術が知られている。すなわち、噴霧において、噴孔形状の変更により燃料の粗な部分と密な部分とを形成し、前者の粗な部分を点火プラグに向かわせることである（特許文献１）。
【特許文献１】特開２００３−１２０２９９号公報（段落番号００２６）
【発明の開示】
【発明が解決しようとする課題】
【０００４】
しかしながら、前掲特許文献１に記載の技術には、次のような問題がある。すなわち、この公知の技術では、燃料噴射弁から点火プラグに直接向かう噴霧の衝突による燻りの防止に関する効果が期待されるものと考えられるが、点火プラグの燻りは、この直接向かう噴霧に限らず、キャビティを介してピストンの冠面から巻き上がった噴霧も原因となり得ることである。点火プラグに対して燃料の粗な部分を指向させたとしても、キャビティの形状や、筒内における気流の影響等により、前記巻き上がった噴霧が点火プラグに向かい、点火プラグの近傍に集中することも考えられ、この場合において、点火プラグの近傍で燃料過剰な状態での燃焼が生じ、発生したスモークが点火プラグに付着するからである。
【０００５】
本発明は、燃料噴射弁がピストンの冠面に対向させて配置され、燃料をこの冠面のキャビティに向けて噴射する筒内噴射内燃機関において、冠面から巻き上がった噴霧の集中による点火プラグの燻りを防止することを目的とする。
【課題を解決するための手段】
【０００６】
本発明は、筒内噴射内燃機関を提供するものであり、この機関は、冠面にキャビティが形成されたピストンと、このピストンの冠面に対向させて配置され、筒内に燃料を直接噴射する燃料噴射弁と、この燃料噴射弁により噴射された噴霧に点火する点火プラグとを含んで構成される。本発明の1つの側面では、筒内で気筒中心軸に沿う上下方向に関して下向きに、キャビティの周縁に向かうガス流動を生じさせる手段が設けられ、キャビティを介して筒内を上昇する噴霧をこのガス流動により偏向させ、この噴霧の主流が進む流線上から点火プラグを逸脱させる。
【発明の効果】
【０００７】
本発明によれば、キャビティを介した噴霧をキャビティの周縁に向けて筒内を下向きに進むガス流動により偏向させ、噴霧の主流が進む流線上から点火プラグを逸脱させたので、ピストンの冠面から巻き上がった噴霧を点火プラグに向かう方向から逸らせ、この噴霧の集中による点火プラグの燻りを防止することができる。
【発明を実施するための最良の形態】
【０００８】
以下に図面を参照して、本発明の実施の形態について説明する。
図１，２は、本発明の第１の実施形態に係る筒内噴射内燃機関（以下「エンジン」という。）１の構成を、気筒中心軸ｍを含む平面による断面で示している。図１は、気筒列方向に垂直な平面により、図２は、気筒列方向に平行な、図１のｘ−ｘ線で示す平面による。エンジン１は、燃料噴射弁２１がピストン１２の冠面に対向させて配置された、いわゆる中央噴射タイプの筒内噴射内燃機関である。
【０００９】
シリンダブロック１１には、ピストン１２が挿入され、その冠面の中央には、円形のキャビティ１２１が形成されている。ピストン１２の冠面とシリンダヘッド１３の下面との間に形成される空間１４が燃焼室となる。気筒中心軸ｍを基準としたシリンダヘッド１３の一側には、吸気ポート１５が形成され、吸気ポート１５は、図示しない吸気マニホールドと接続されて、吸気通路を形成している。吸気ポート１５は、吸気弁１６により開放及び遮断される。シリンダヘッド１３の他側には、排気ポート１７が形成され、排気ポート１７は、図示しない排気マニホールドと接続されて、排気通路を形成している。排気ポート１７は、排気弁１８により開放及び遮断される。吸気弁１６及び排気弁１８は、各弁１６，１８の上方に設置された、図示しない吸気カム又は排気カムにより開方向に駆動される。
【００１０】
また、シリンダヘッド１３には、燃焼室１４の上部中央に臨ませて、気筒中心軸ｍに対してほぼ平行に燃料噴射弁２１が設置されるとともに、燃料噴射弁２１に隣接させて点火プラグ２２が設置されている。本実施形態では、レイアウト上の制約から、燃料噴射弁２１を気筒中心軸ｍから気筒列方向にずらして配置するとともに、燃料の噴射方向の制約から、燃料噴射弁２１を気筒中心軸ｍに対して若干傾斜させている。このような燃料噴射弁２１の配置との関係で、キャビティ１２１が冠面の中心からずらして形成されている。本実施形態では、燃料噴射弁２１として、圧縮行程噴射時における噴霧形状の乱れを抑制し得るマルチホールタイプのインジェクタを採用しており、弁体中心軸を基準とした周方向に配列された各噴孔から燃料が噴射され、噴射された燃料により、全体として中空円錐状の噴霧が形成される。点火後、燃焼により生じた排気は、排気弁１８の開期間に排気ポート１７から排気通路に排出され、排気後処理用の触媒１９を通過した後、大気中に放出される。
【００１１】
燃料噴射弁２１及び点火プラグ２２の動作は、エンジンコントロールユニット（以下「ＥＣＵ」という。）３１により制御される。ＥＣＵ３１へは、エンジン１の吸入空気量を検出するエアフローメータ４１の検出信号、エンジン１に対する要求負荷に相関するアクセル開度を検出するアクセルセンサ４２の検出信号、クランクシャフト（図示せず。）の基準位置及び単位位置を検出するクランク角センサ４３の検出信号（これをもとに、エンジン１の回転速度を算出することができる。）、エンジン冷却水の温度を検出する水温センサ４４の検出信号、点火プラグ２２の放電電圧を検出する電圧センサ４５の検出信号、及び排気浄化触媒１９の温度を検出する温度センサ４６の検出信号等が入力される。電圧センサ４５は、点火プラグ２２の二次コイルに設けられ、放電電圧として、通常の方法に従う点火動作（すなわち、一次コイルに対する通電及び遮断）によりこの二次コイルに発生する電圧降下量を検出する。ＥＣＵ３１は、入力した各種の検出信号をもとに、燃料噴射弁２１等のエンジン制御デバイスに対する制御信号を形成する。
【００１２】
本実施形態では、エンジン１の運転状態に応じて燃焼形態を切り換え、暖機後の通常運転時において、低負荷域では成層燃焼により、それ以外の高負荷域では均質燃焼により運転を行わせる。均質燃焼では、目標とする空燃比が理論値に設定されるとともに、燃料の噴射時期が吸気行程中に設定され、燃焼室１４の全体に噴霧を拡散させた状態で燃焼を行わせる。他方、成層燃焼では、目標とする空燃比が理論値よりも大きな値に設定されるとともに、燃料の噴射時期が圧縮行程中に設定され、燃焼室１４の中程に噴霧を集中させた状態で燃焼を行わせる。燃焼形態の切り換えの判断は、ＥＣＵ３１により行われる。成層燃焼時において、噴射された噴霧は、ピストン１２の冠面に形成されたキャビティ１２１に受け止められ、その周壁により上向きに案内されて、冠面から巻き上がる。巻き上がった噴霧は、筒内を上昇し、燃焼室１４の中程に保持されて、可燃空燃比の混合気塊を形成する。成層燃焼時には、この混合気塊に対して点火が行われる。本実施形態では、このような通常の成層燃焼（後述するスプレーガイド燃焼との区別のため、以下、特に「ウォールガイド燃焼」という。）のほか、成層燃焼の継続による排気浄化触媒１９の低活性化を解消するため、キャビティ１２１による案内前の（又は冠面との衝突前の）噴霧に点火する燃焼形態を採用する。いわゆるスプレーガイド燃焼として知られるこの燃焼形態は、成層燃焼に包括されるものである。スプレーガイド燃焼によれば、噴射時期の遅角化により、燃料の後燃えを生じさせ、排気温度を上昇させて、触媒１９の活性促進を図ることができる。
【００１３】
図３は、燃料噴射弁２１により噴射される噴霧Ｓと、点火プラグ２２との関係を示している。
本実施形態では、燃料の微細化が充分に進んでいない噴射直後の噴霧Ｓの点火プラグ２２に対する衝突を回避するため、点火プラグ２２（図３（ｂ）には、プラグギャップの位置を符合Ｐで示す。）を、隣り合う２つの噴孔から噴射された噴霧Ｓａ，Ｓｂの流線Ｌａ，Ｌｂの間で、噴霧Ｓの主流が形成する円錐Ｃの外側に配置している。噴霧Ｓの周辺で燃料と空気との混合が進み、燃料が拡散して形成された混合気内にプラグギャップＰを配置することで、スプレーガイド燃焼時における着火性が確保される。
【００１４】
以下に、ＥＣＵ３１の動作をフローチャートにより説明する。
図４は、燃焼制御ルーチンのフローチャートである。ＥＣＵ３１は、このルーチンを所定の時間毎に実行する。
Ｓ１０１では、アクセル開度ＡＰＯ（エンジン１の負荷に相関するものとして、アクセルセンサ４２からの検出信号に基づいて算出される。）、及びエンジン回転数ＮＥ等のエンジン１の運転状態のほか、排気浄化触媒１９の活性判定のため、触媒温度Ｔｃａｔを読み込む。
【００１５】
Ｓ１０２では、読み込んだＡＰＯ，ＮＥをもとに、エンジン１の運転領域を判定する。
Ｓ１０３では、判定した運転領域が比較的に低負荷側の領域として設定されたＡであるか否かを判定する。Ａであるときは、Ｓ１０４へ進み、Ａ以外の高負荷側の領域として設定されたＢであるときは、Ｓ１１０へ進む。
Ｓ１０４では、触媒温度Ｔｃａｔが、排気浄化触媒１９の活性温度の下限として設定された所定の温度Ｔｃａｔ１以上であるか否かを判定する。Ｔｃａｔ１以上であるときは、触媒１９が活性状態にあるとしてＳ１０５へ進む。Ｔｃａｔ１未満であるときは、触媒１９が低活性化し、活性促進の必要があるとしてＳ１０６へ進む。この触媒１９の低活性化は、排気温度が低い成層燃焼の継続によるものである。
【００１６】
Ｓ１０５では、ウォールガイド燃焼により運転を行わせる。ウォールガイド燃焼では、燃料の噴射時期が圧縮行程中に設定され、キャビティ１２１による案内後の噴霧が形成する混合気塊に対して点火が行われる。
Ｓ１０６では、触媒１９の活性促進のため、排気昇温制御としてスプレーガイド燃焼により運転を行わせる。ここでのスプレーガイド燃焼では、燃料の噴射時期が膨張行程中に設定され、キャビティ１２１による案内前の噴霧に対して点火が行われる。このように噴射時期を遅角させて行うスプレーガイド燃焼により、燃料の後燃えが生じ、排気温度が上昇して、触媒１９が加熱され、その活性促進が図られる。
【００１７】
Ｓ１０７では、点火プラグ２２の燻りに関する状態判定のため、放電電圧Ｖｄｉｓを読み込む。放電電圧Ｖｄｉｓは、本実施形態に係る「状態パラメータ」に相当する。
Ｓ１０８では、読み込んだＶｄｉｓが、正常な放電状態を示す範囲の下限として設定された所定の電圧ＶＬ以上であるか否かを判定する。ＶＬ以上であるときは、このルーチンをそのままリターンし、ＶＬ未満であるときは、燻りの発生を積極的に防止する必要があるとしてＳ１０９へ進む。図５は、点火時期ｔｉ前後に亘る一次コイルの電流Ｃ１、ならびに二次コイルの電流Ｃ２及び電圧Ｖ２の変化を示している。点火プラグ２２が正常な状態にあるときは、一次コイルに対する通電遮断により、二次コイルの電圧Ｖ２の変化にピークが形成され、ＶＬ以上の高い放電電圧Ｖｄｉｓが検出される。他方、点火プラグ２２の電極等に対する付着物（主に、カーボン粒子）の堆積により絶縁抵抗が低下し、及び電圧漏洩が生じると、正常時におけるようなピークは形成されず、ＶＬよりも低い電圧Ｖａが検出される。
【００１８】
Ｓ１０９では、筒内にガス流動を生じさせ、ピストン１２の冠面から巻き上がった噴霧を点火プラグ２２に向かう方向から逸脱させる。本実施形態では、このための制御として燃料噴射弁２１の噴射時期を分け、噴射の実行回数を２回に設定することで、後に噴射された噴霧によりこのガス流動を生じさせる。ガス流動は、Ｓ１０８の状態判定の結果に応じ、ウォールガイド燃焼による運転及びスプレーガイド燃焼による運転の双方で生じさせる。
【００１９】
Ｓ１１０では、燃料の噴射時期を吸気行程中に設定し、均質燃焼により運転を行わせる。
本実施形態では、状態判定の指標に放電電圧Ｖｄｉｓを採用したが、これに相関する電気特性を持つものとして、他の電気特性値（たとえば、放電電流Ｃｄｉｓ（図５）又は絶縁抵抗）を採用してもよい。
【００２０】
本実施形態に係るエンジン１の成層燃焼時における動作について、筒内の状態を時系列順に示す図６を参照して説明する。
噴射期間の初期における状態を示す図６（ａ）において、圧縮行程中の比較的に早い時期に噴射された噴霧Ｓｐは、全体として中空の円錐を形成し、キャビティ１２１に向けて筒内を下方に進む。噴霧Ｓｐの主流が形成する円錐の外側に点火プラグ２２が配置されたことで、噴射直後の噴霧Ｓｐの衝突による点火プラグ２２の燻りが回避される（図６（ｂ））。噴霧Ｓｐは、キャビティ１２１の底面に衝突して、この底面を外向きに案内されるとともに、キャビティ１２１の周壁により上向きに案内され、冠面から巻き上がる。また、キャビティ１２１による案内後の時期における状態を示す図６（ｃ）において、後の噴射によりガス流動としての噴霧Ｓｓの流れが形成される。この噴霧Ｓｓは、冠面から巻き上がった噴霧Ｓｐとキャビティ１２１の上方で衝突し、これを外向きに偏向させる。巻き上がった噴霧Ｓｐは、噴射後の時間の経過、及びキャビティ１２１による案内の過程により速度が大幅に失われているため、噴霧Ｓｓによる偏向の作用を大きく受ける。このため、巻き上がった噴霧Ｓｐの主流が進む流線上から、点火プラグ２２が逸脱することとなり、噴霧Ｓｐの主流が点火プラグ２２に向かう方向から逸れ、点火プラグ２２の近傍における噴霧Ｓｐの過度な集中が回避される。
【００２１】
本実施形態によれば、次のような効果を得ることができる。
すなわち、本実施形態では、燃料噴射弁２１による噴射の実行回数を２回に設定し、先に噴射され、キャビティ１２１を介した噴霧Ｓｐを、後の噴射により形成されるガス流動（ここでは、噴霧Ｓｓ）により偏向させ、その主流が進む流線上から点火プラグ２２を逸脱させた。このため、ピストン１２の冠面から巻き上がった噴霧Ｓｐを点火プラグ２２に向かう方向から逸らせ、点火プラグ１２の近傍における燃料過剰な状態での燃焼、延いてはスモークの発生を回避し、点火プラグ２２の燻りを防止することができる。
【００２２】
また、噴霧Ｓｓによりガス流動を形成することで、部品点数の増加を伴わずに燻り防止の上記の効果を得ることができる。巻き上がった噴霧Ｓｐに、後に噴射された噴霧Ｓｓを衝突させることで、噴霧Ｓｐ，Ｓｓの双方における燃料の拡散を促すことができる。スプレーガイド燃焼による排気昇温制御時に噴霧Ｓｓによりガス流動を生じさせることで、噴霧Ｓｓ中の燃料を後燃えに利用し、排気温度を効率的に上昇させることができる。
【００２３】
更に、燻りに関する状態判定を行い、その結果に応じてガス流動を生じさせることとしたので、後の噴射の不要な実施による運転上の損失（たとえば、燃料消費量の増大）を回避することができる。
なお、本実施形態では、燃料噴射弁２１としてマルチホールタイプのインジェクタを採用している。このタイプのインジェクタによれば、他のタイプ（たとえば、外開きのアウトワードタイプ）のインジェクタによる場合と比較して安価なシステムを構築可能である一方、噴霧に燃料の濃淡が生じ易い。このため、マルチホールタイプのインジェクタを採用したものに本発明を適用することで、流れの偏向による燻り回避の効果を顕著に得ることができる。
【００２４】
また、本実施形態では、低負荷域における運転をウォールガイド燃焼によることとしたが、これに代え、この領域における運転をスプレーガイド燃焼によることとしてもよい。この場合に、燃料の噴射時期は、この燃焼形態が排気昇温制御に採用される場合と比較して早い時期に設定される。図７は、スプレーガイド燃焼による場合のガス流動の作用を示している。ここでは、燃料噴射弁２１として、燃料と空気とを混合させて噴射する、いわゆる二流体噴射弁を採用している。コンプレッサ５１により圧縮された空気が、遮断弁５２により許容されるタイミングでノズル内に送り込まれる。二流体噴射弁２１により空気のみを噴射することで、ガス流動Ａを生じさせる。二流体噴射弁２１により噴射された噴霧（ここでは、燃料及び空気の混合噴霧として符合Ｍで示す。）は、全体として円錐を形成する。この混合噴霧Ｍのピストン１２の冠面に対する衝突前に点火が行われる。主燃焼による火炎（ここでは、拡散火炎の形態をとる。）Ｆは、キャビティ１２１の底面によりキャビティ１２１内を外向きに案内されるとともに、その周壁により上向きに案内され、冠面から巻き上がる。巻き上がった拡散火炎Ｆにガス流動としての空気の流れＡを衝突させることで、拡散火炎Ｆを散らして、点火プラグ２２に向かう方向から逸らせ、点火プラグ２２の燻りを防止することができる。ガス流動Ａ中に燃料成分が含まれないことで、噴霧（Ｓｓ）による場合と比較して燃料の集中抑制に関して高い効果を得ることができる。なお、空気による流れの偏向は、排気昇温制御に適用することもできる。燃料の噴射時期を遅角させたスプレーガイド燃焼を採用するとともに、冠面から巻き上がった拡散火炎にガス流動としての空気の流れを衝突させ、これを偏向させる。主燃焼による拡散火炎中に空気が送り込まれることで、燃料の後燃えを促進させることができる。
【００２５】
以下に、本発明の他の実施形態について説明する。以下の各実施形態において、エンジン１の構成は、第１の実施形態におけると同様であってよく、噴霧、又圧縮空気（二流体噴射弁による。）によりガス流動を形成する。
図８は、本発明の第２の実施形態に係る燃焼制御ルーチンのフローチャートを示している。同図において、第１の実施形態におけると同様の処理を行うステップには、図４におけると同じ符合を付している。
【００２６】
本実施形態では、点火プラグ２２の燻りに関する状態パラメータとして成層燃焼による連続運転時間を採用し、これが所定の時間に達した後にガス流動を生じさせることとする。成層燃焼による場合は、燃焼温度が低く、時間の経過に伴い点火プラグ２２の温度が低下して、燻りの発生が顕著となるところ、点火プラグ２２の温度が比較的に高い成層燃焼への切換直後の期間を外してガス流動を生じさせることで、ガス流動の不要な形成による運転上の損失（たとえば、燃料消費量の増大）を回避することができる。
【００２７】
Ｓ１０３でエンジン１が領域Ａにあると判定された場合において、排気浄化触媒１９の状態に応じ、通常の成層燃焼と排気昇温制御（スプレーガイド燃焼による。）との間で燃焼形態を切り換える（Ｓ１０４〜１０６）。通常運転時における成層燃焼（Ｓ１０５）に際し、Ｓ２０１では、カウンタＴＩＭに１を加算し、Ｓ２０２では、加算後のＴＩＭが所定の値ＴＩＭ１よりも大きいか否かを判定する。大きいときにのみ、Ｓ１０９へ進み、それ以外のときは、このルーチンをそのままリターンする。Ｓ１０９では、追加の噴射時期を設定するか、あるいは燃料の噴射後、空気のみを噴射することで、筒内にガス流動を生じさせ、冠面から巻き上がった噴霧を外向きに偏向させ、その主流が進む流線上から点火プラグ２２を逸脱させる。他方、Ｓ１０３でエンジン１が領域Ｂにあると判定された場合は、Ｓ１１０へ進み、均質燃焼による運転を選択するとともに、Ｓ２０３でカウンタＴＩＭを０にリセットする。
【００２８】
本実施形態によれば、成層燃焼による連続運転時間を採用し、ＥＣＵ３１の演算過程で状態パラメータを検出可能としたことで、電圧センサ等の状態パラメータを検出するための特別なセンサを設置することが不要となる。
図９は、本発明の第３の実施形態に係る始動制御ルーチンのフローチャートを示している。ＥＣＵ３１は、エンジン１の電源スイッチによりこのルーチンを開始し、所定の時間毎に繰り返す。
【００２９】
本実施形態では、エンジン１の始動運転にスプレーガイド燃焼による排気昇温制御を採用し、排気温度の上昇により排気浄化触媒１９の早期活性を図ることとする。燃料噴射弁２１には、二流体噴射弁を採用する。ここでは、触媒活性後の通常運転について、運転領域の全体に亘り均質燃焼を一律に採用することとするが、第１の実施形態におけると同様に、運転状態に応じて燃焼形態を切り換えてもよい。
【００３０】
Ｓ３０１では、触媒温度Ｔｃａｔを読み込む。
Ｓ３０２では、読み込んだＴｃａｔが、触媒１９の活性温度の下限を示す所定の温度Ｔｃａｔ２未満であるか否かを判定する。Ｔｃａｔ２未満であるときは、Ｓ３０３へ進み、Ｔｃａｔ２に達した後は、Ｓ３０５へ進み、暖機後の通常運転に移行する。
Ｓ３０３では、排気昇温制御のため、スプレーガイド燃焼を選択し、燃料の噴射時期を膨張行程中に設定する。ここでのスプレーガイド燃焼では、燃焼室１４内の平均空燃比は、理論値又はこれよりも若干高い程度（たとえば、１４．４〜１８）に設定され、点火時期は、噴射期間の終期又は終了直後（たとえば、圧縮上死点の近傍〜上死点後３５°）に設定される。
【００３１】
Ｓ３０４では、燃料の噴射後、空気のみを噴射することで、筒内にガス流動を生じさせる。
本実施形態によれば、流れの偏向により点火プラグ２２の燻りを防止しつつ、触媒１９の早期活性を図ることができる。また、空気によりガス流動を形成することで、燃料の集中抑制に関して高い効果を得ることができる。ガス流動を生じさせた結果、主燃焼による拡散火炎中に空気が送り込まれることで、燃料の後燃えを促進させることができる。なお、ここでは、空気によりガス流動を形成することとしたが、始動運転におけるガス流動の形成に噴霧を採用することもできる。この場合は、主燃焼のための先の噴射後、後の噴射を行う。後に噴射された噴霧中の燃料は、後燃えに利用される。
【００３２】
以上の各実施形態において、空気によるガス流動を形成する場合は、エンジン１の負荷の増大に伴い空気の噴射量を増大させるのが好ましい。負荷の増大による噴霧の拡大に対し、偏向の作用を適度に得ることができる。
また、燃焼噴射弁２１のアクチュエータには、ソレノイドタイプのもののほか、ピエゾタイプのものを採用するのが好ましい。ピエゾタイプのアクチュエータによれば、応答精度の高さにより、回転速度に拘わらず、常に良好なガス流動を得ることができる。
【図面の簡単な説明】
【００３３】
【図１】本発明の第１の実施形態に係る筒内噴射内燃機関の構成
【図２】図１のｘ−ｘ線断面
【図３】噴霧と点火プラグとの関係
【図４】本発明の第１の実施形態に係る燃焼制御ルーチンのフローチャート
【図５】放電電圧による燻りの判定
【図６】噴霧を偏向させる場合の燃料噴射弁の動作
【図７】拡散火炎を偏向させる場合の燃料噴射弁の動作
【図８】本発明の第２の実施形態に係る燃焼制御ルーチンのフローチャート
【図９】本発明の第３の実施形態に係る始動制御ルーチンのフローチャート
【符号の説明】
【００３４】
１…エンジン、１１…シリンダブロック、１２…ピストン、１２１…キャビティ、１３…シリンダヘッド、１４…燃焼室、１５…吸気ポート、１６…吸気弁、１７…排気ポート、１８…排気弁、１９…排気浄化触媒、２１…燃料噴射弁（又は「燃料噴射弁」としての二流体噴射弁）、２２…点火プラグ、３１…エンジンコントロールユニット、４１…エアフローメータ、４２…アクセルセンサ、４３…クランク角センサ、４４…冷却水温度センサ、４５…放電電圧センサ、４６…触媒温度センサ、５１…コンプレッサ、５２…遮断弁、ｍ…気筒中心軸、Ｓ…噴霧、Ｃ…噴霧の外形、Ｌ…噴霧の流線、Ａ…空気、Ｆ…火炎。
【図１】
2007077821.tif 000003
【図２】
2007077821.tif 000004
【図３】
2007077821.tif 000005
【図４】
2007077821.tif 000006
【図５】
2007077821.tif 000007
【図６】
2007077821.tif 000008
【図７】
2007077821.tif 000009
【図８】
2007077821.tif 000010
【図９】
2007077821.tif 000011